(57)【要約】      （修正有）【課題】釣り糸が根掛かりした場合に、撮像装置を回収可能である釣り糸切断具を提供する。【解決手段】一端が末広がりに開口し、他端が先細りに開口し、内部に設けられた通路と該両端の開口とが連通した金属性の筒状体２であって、先細りに開口した開口側の内壁に沿ってリング状の刃物が設けられた筒状体２と、外側面に突起が突設され、該突起を介して前記刃物に係止されてなる内筒４と、釣り糸とは別途延設され、先端で二股に分かれた第一先端部および該第一先端部よりも短い第二先端部を有するテグス体５とからなる釣り糸切断具１であって、前記第一先端部が内筒４に連結され、前記第二先端部が筒状体２に連結されることを特徴とする。撮像機器よりも先端において釣り糸を切断することができるので、撮像機器が備えられた釣り具が根掛かりした場合に、撮像機器を回収することができる。【選択図】図１
0003149439.tif 000002
【実用新案登録請求の範囲】
【請求項１】
一端が末広がりに開口し、他端が先細りに開口し、内部に設けられた通路と該両端の開口とが連通した金属性の筒状体であって、先細りに開口した開口側の内壁に沿ってリング状の刃物が設けられた筒状体と、
外側面に突起が設けられ、該突起を介して前記刃物に係止されてなる内筒と、
釣り糸とは別に、操作者によってリールを介して巻き取られ／繰り出されるテグス体を備え、該テグス体が、先端で二股に分かれた第一先端部および該第一先端部よりも短い第二先端部を有するテグス体とからなる釣り糸切断具であって、
前記第一先端部が前記内筒に連結され、前記第二先端部が前記筒状体に連結される
ことを特徴とする釣り糸切断具。
【請求項２】
一端が末広がりに開口し、他端が先細りに開口し、内部に設けられた通路と該両端の開口とが連通した金属性の筒状体であって、先細りに開口した開口側の内壁に沿ってリング状の刃物が設けられた筒状体と、
外側面に突起が設けられ、該突起を介して前記刃物に係止されてなる内筒と、
釣り糸とは別に、操作者によってリールを介して巻き取られ／繰り出されるテグス体を備え、該テグス体が、先端で二股に分かれた第一先端部および該第一先端部よりも短い第二先端部を有するテグス体とからなる釣り糸切断具であって、
前記筒状体が、互いに組み合わせることで筒状となる一対の半筒状体およびヒンジ部とから構成され、
前記第一先端部が前記内筒に連結され、前記第二先端部が前記筒状体に連結される
ことを特徴とする釣り糸切断具。
【請求項３】
一端が末広がりに開口し、他端が先細りに開口し、内部に設けられた通路と該両端の開口とが連通した金属性の筒状体であって、先細りに開口した開口側の内壁に沿ってリング状の刃物が設けられた筒状体と、
外側面に突起が環状に設けられ、該突起を介して前記刃物に係止されてなる内筒と、
釣り糸とは別に、操作者によってリールを介して巻き取られ／繰り出されるテグス体を備え、該テグス体が、先端で二股に分かれた第一先端部および該第一先端部よりも短い第二先端部を有するテグス体とからなる釣り糸切断具であって、
前記筒状体が、互いに組み合わせることで筒状となる一対の半筒状体およびヒンジ部とから構成され、
前記第一先端部が前記内筒に連結され、前記第二先端部が前記筒状体に連結される
ことを特徴とする釣り糸切断具。
【請求項４】
一端が末広がりに開口し、他端が先細りに開口し、内部に設けられた通路と該両端の開口とが連通した金属性の筒状体であって、先細りに開口した開口側の内壁に沿ってリング状の刃物が設けられた筒状体と、
外側面に間欠的に突起が設けられ、該突起を介して前記刃物に係止されてなる内筒と、
釣り糸とは別に、操作者によってリールを介して巻き取られ／繰り出されるテグス体を備え、該テグス体が、先端で二股に分かれた第一先端部および該第一先端部よりも短い第二先端部を有するテグス体とからなる釣り糸切断具であって、
前記筒状体が、互いに組み合わせることで筒状となる一対の半筒状体およびヒンジ部とから構成され、
前記第一先端部が前記内筒に連結され、前記第二先端部が前記筒状体に連結される
ことを特徴とする釣り糸切断具。
【考案の詳細な説明】
【技術分野】
【０００１】
本発明は、釣り針等の仕掛けが根掛かりしたときに釣り糸を切断するために使用される釣り糸切断具に関する。さらに詳しくは、釣りをする際に水中の魚を映像として捉えるための撮像機器を備えた釣具において、仕掛けが根掛かりしたときに、釣り糸を切断し、撮像機器を回収するための釣り糸切断具に関する。
【背景技術】
【０００２】
従来、海や河川での釣りは高い人気を集めている。釣り人は、獲物が釣れた時の快感が忘れられずに、釣りにのめり込んでいくことが多い。いわゆる玄人と呼ばれる釣り人は、仕掛けや釣りのポイント、時期、天候、タイミングなど、様々な条件を自分なりに探り、獲物との駆け引きの上で獲物を釣ることに生きがいを見つけている。
【０００３】
しかしながら、初めて釣りをする人（素人）にとっては、どのような条件下で釣ればいいのかを判断することは非常に困難である。特に、釣りをする際の詳細なポイントの選定は非常に困難であり、素人が一般的には有することがない長年の経験や勘が必要になる。
【０００４】
そこで、釣りを始める人は、実際に釣りをする前に専門書を読み込み、経験や勘を補う必要がある。しかしながら、各専門書によっては指摘している内容が異なる場合もあり、異なる情報の取捨選択も素人にとっては非常に困難である。その結果、釣りを始めたくてもなかなか始めることができず、中途で断念してしまう素人が多くなる。したがって、素人の釣り離れという事態が生じてしまう。
【０００５】
かかる素人の釣り離れの問題を解消するために、水中の様子を映像として認識可能な水中カメラを水中に投下し、有線ケーブルを介して該水中カメラで撮影した画像を陸地にいながら認識できる竿型の水中カメラなどが提案されている。水中カメラによって水中の様子を視認することができるので、魚がいるポイントや、水中での魚の動きなどが把握でき、素人でも簡単に釣りを楽しむことができる。
【０００６】
しかしながら、その場合には水中カメラ専用の竿を用意する必要があり、また、釣りをする際に釣り糸付近の魚の様子を確認するためには、釣竿および水中カメラ専用の竿を近接させる必要がある。その場合には、釣り糸が有線ケーブルに絡まってしまう危険性が高くなるので、同時に釣竿および水中カメラ専用の竿を使用することは困難である。かかる問題を解消するために、釣竿と水中カメラを一体化させ、魚が餌を食べた瞬間を写せる釣り具が提案されている。
【考案の概要】
【考案が解決しようとする課題】
【０００７】
しかしながら、魚釣り時には、仕掛けが水底の岩等に引っ掛かる、いわゆる根掛かりが往々にして起こる。これは、水中カメラを取り付けた釣り具においても同様である。根掛かりした釣り糸は容易には外れない。このため、釣竿を保護するためには、釣り糸を切る必要がある。釣竿付近では釣り糸は容易に切断可能であるが、釣り針などの仕掛けを全て失ってしまうので好ましくない。なお、釣竿を力強く引っ張って釣り糸を切ると、先端部で切れる可能性もあるが、途中で釣り糸が切れる場合が多く、また竿自体が折れる場合がある。これは、水中カメラなどの撮像機器を取り付けた釣り具にとっては深刻な問題である。撮像機器は高価であり、さらには電子機器なので、水中に放置されると環境を汚染してしまう。したがって、撮像機器を備えた釣り具は、根掛かりの心配がない場所（たとえば、沖合いなど）での使用に限られてしまうという問題があった。
【０００８】
本考案は、叙上の事情に鑑み、撮像機器を備えた釣り具において、釣り糸の先端部と撮像機器の間で釣り糸を切断でき、釣り糸が根掛かりした場合でも、少なくとも撮像機器を回収することのできる釣り糸切断具を提供することを目的とする。
【０００９】
さらには、釣り糸を切断した後に、当該釣り糸切断具自体も回収することのできる機構を備えた釣り糸切断具を提供することを目的とする。
【課題を解決するための手段】
【００１０】
上記の課題を解決するために、本考案の第一の態様にかかわる釣り糸切断具は、一端が末広がりに開口し、他端が先細りに開口し、内部に設けられた通路と該両端の開口とが連通した金属性の筒状体であって、先細りに開口した開口側の内壁に沿ってリング状の刃物が設けられた筒状体と、外側面に突起が突設され、該突起を介して前記刃物に係止されてなる内筒と、釣り糸とは別に、操作者によってリールを介して巻き取られ／繰り出されるテグス体を備え、該テグス体が、先端で二股に分かれた第一先端部および該第一先端部よりも短い第二先端部を有するテグス体とからなる釣り糸切断具であって、前記第一先端部が前記内筒に連結され、前記第二先端部が前記筒状体に連結されることを特徴とする。
【００１１】
本考案の第二の態様にかかわる釣り糸切断具は、一端が末広がりに開口し、他端が先細りに開口し、内部に設けられた通路と該両端の開口とが連通した金属性の筒状体であって、先細りに開口した開口側の内壁に沿ってリング状の刃物が設けられた筒状体と、外側面に突起が突設され、該突起を介して前記刃物に係止されてなる内筒と、釣り糸とは別に、操作者によってリールを介して巻き取られ／繰り出されるテグス体を備え、該テグス体が、先端で二股に分かれた第一先端部および該第一先端部よりも短い第二先端部を有するテグス体とからなる釣り糸切断具であって、前記筒状体が、互いに組み合わせることで筒状となる一対の半筒状体およびヒンジ部とから構成され、前記第一先端部が前記内筒に連結され、前記第二先端部が前記筒状体に連結されることを特徴とする。
【考案の効果】
【００１２】
本考案の釣り糸切断具では、撮像機器を備えた釣り具に根掛かりが生じると、釣り糸切断具を釣り糸に沿って水中を降下させ、撮像機器と釣り糸の先端の間で釣り糸を切断することができる。撮像機器よりも釣り糸の先端において釣り糸を切断することができるので、撮像機器が備えられた釣り具が根掛かりした場合に、少なくとも撮像機器を回収することができる。したがって、根掛かりが発生しやすい陸地からの釣り、浅瀬での釣りに撮像機器が備えられた釣り具を使用することができ、素人でも容易に釣りを楽しむことが可能になる。
【００１３】
素人でも、専門的な知識を勉強することなく釣りを楽しむことができるので、素人の釣り離れを解消することができ、また、魚が釣れた瞬間を確認できるとともに写真に残せる楽しみもあり、ひいては釣り人口の増加を図ることができる。
【００１４】
また、釣り糸を切断した後は、撮像機器および釣り糸切断具を回収することができるため、これが水底にゴミとして残ってしまうことがなく、釣り糸切断具を何度でも繰返し使用することができ、経済的、環境的に有利な効果が得られる。
【図面の簡単な説明】
【００１５】
【図１】本考案の実施の形態にかかわる釣り糸切断具を示す斜視図である。
【図２】本考案の実施の形態にかかわるリング状の刃物を示す部分断面図である。
【図３】本考案の実施の形態にかかわる釣り糸切断具に撮像機器を備えた釣り糸が連通した状態を示す断面図である。
【図４】根掛かりした釣り糸に本考案にかかわる釣り糸切断具を連通している状態を示す図である。
【図５】根掛かりした釣り糸の先端部において内筒を本体部から離脱させた状態を示す図である。
【図６】本考案にかかわる釣り糸切断具によって釣り糸を切断した状態を示す図である。
【図７】本考案の他の態様にかかわる筒状体を示す斜視図である。
【図８】本考案の他の態様にかかわる筒状体の断面図である。
【図９】本考案の第２の態様にかかわる釣り糸切断具における筒状体を示す斜視図である。
【図１０】本考案の第２の態様にかかわる釣り糸切断具の断面図である。
【図１１】本考案の第３の態様にかかわる釣り糸切断具の断面図である。
【考案を実施するための形態】
【００１６】
以下、添付図面に基づいて本考案の釣り糸切断具について説明する。
【００１７】
図１は本考案の実施の形態にかかわる釣り糸切断具を示す斜視図、図２は本考案の実施の形態にかかわるリング状の刃物を示す部分断面図、図３は本考案の実施の形態にかかわる釣り糸切断具に撮像機器を備えた釣り糸が連通した状態を示す断面図、図４は根掛かりした釣り糸に本考案にかかわる釣り糸切断具を連通している状態を示す図、図５は根掛かりした釣り糸の先端部において内筒を本体部から離脱させた状態を示す図、図６は本考案にかかわる釣り糸切断具によって釣り糸を切断した状態を示す図、図７は本考案の他の態様にかかわる筒状体を示す斜視図、図８は本考案の他の態様にかかわる筒状体の断面図、図９は本考案の第２の態様にかかわる釣り糸切断具における筒状体を示した斜視図、図１０は本考案の第２の態様にかかわる釣り糸切断具の断面図、図１１は本考案の第３の態様にかかわる釣り糸切断具の断面図である。
【００１８】
実施の形態
図１に示されるように、本実施の形態にかかわる釣り糸切断具１は、互いに連結することで、筒状を形成する一対の半筒状体２ａおよび２ｂがヒンジ部２ｃを介して開閉可能に連結された筒状体２と、該筒状体２の上部開口３ａに嵌入された内筒４と、先端部において二股に分かれ、前記筒状体２および内筒４それぞれに連結されるテグス体５とから形成される。前記筒状体２および内筒４は、互いに中空部６および７が形成されている。当該中空部７は、後述する撮像機器Ｃ１が挿通可能である大きさの中空部である。
【００１９】
筒状体２は、ヒンジ部２ｃを介して開閉可能に形成されているので、既存の釣り具に適応可能であるが、本考案はこれに限定されるものではなく、筒状体を一体成形してもよい。この場合、ヒンジ部２ｃが破損することによって筒状体２が破損することを防止でき、耐久性の高い筒状体２を提供することができる。なお、図示していないが、前記内筒４は、完全な円筒ではなく、側面にスリットが入っていることが好ましい。該スリットを介して有線ケーブルを内筒４の内部に入れることで、該内筒４を容易に釣り具へ取り付けることが可能になる。
【００２０】
図２に示されるように、前記筒状体２の上部開口３ａには、リング状の刃物８が形成されている。また、該筒状体２の一端が末広がりに形成されているので、該筒状体２が均一な材質で形成されているときには、下方の重量が重くなる。したがって、前記上部開口３ａを上向きにし、対向する下部開口３ｂから入水することで、水中で安定して前記釣り糸切断具１を降下させることができる。なお、本実施の形態では、上部が円形のものを用いているが、本考案はこれに限定されるものではなく、図７に示すように、上部が四角形の筒状体１０を用いてもよい。釣りをする際には、釣り人Ｐの手が濡れている場合が多いので、円形の筒状体２は釣り人Ｐの手から落下してしまう恐れがあるが、台形状の側面を有する筒状体にすることで、釣り人Ｐが筒状体１０をしっかりと把持することができるので、筒状体が手から落下するのを防止できる。また、外側面の形状は本実施の形態に示した形状に限られるものではなく、流行に富んだ筒状体を形成することで釣り人口の増加を図ることができる。
【００２１】
なお、前記筒状体２の内壁は、下部開口３ｂ近傍ではテーパー状に形成されている。このような構成にすることによって、釣り糸切断具１の降下中に、釣り糸Ｌが前記筒状体２の角部に当接して切断されることを防止できる。なお、本実施の形態においては、筒状体２において、緩やかなテーパー状の内面を形成しているが、これに限られるものではなく、図８に示すように角部を削って前記釣り糸Ｌと当接する角部を緩やかな角度にした角部１２にしてもよい。釣り糸Ｌの摩擦強度に対応するように角部１２を形成することができるので、加工が容易になる。さらに、本実施の形態においては、刃物８を筒状体２と一体的に形成しているが、これに限られるものではなく、図８に示すように、筒状体１１の上部に取り付け可能な刃物１２を用いてもよい。この場合、加工が容易なので、量産化、低価格化が実現できる。
【００２２】
図３は、前記釣り糸切断具１内に撮像機器Ｃ１が連結された釣り糸Ｌを挿通した状態を示している。該撮像機器Ｃ１の一端は、有線ケーブルＣ２を介してリールＲ１に連結されており、該撮像機器Ｃ１の他端には釣り糸Ｌが連結されている。本実施の形態における前記内筒４は、略円筒状に形成されており、該内筒４の外径が前記刃物８の内径と同等の径で形成されている。前記内筒４の外周面には、１または２以上の突起４ａが形成されており、該突起４ａおよび刃物８を介して前記筒状体２および内筒４が係止されている。なお、本実施の形態における突起４ａは、環状に形成された突起４ａであってもよく、間欠的に形成された複数の突起４ａであってもよい。突起４ａと刃物８は、接触する面積が多いほどより強固に係止されるが、係止の解除が困難になる。したがって、内筒４の材質、刃物８の切れ味によって突起４ａの形状および数を変更できることが好ましい。
【００２３】
また、図３に示されるように、有線ケーブルＣ２および釣り糸Ｌとは異なるテグス体５が、後述するリールＲ２と前記筒状体２および内筒４を連結している。該テグス体５は、前記筒状体２側（先端側）において二股に分岐されており、第一先端部５ａが前記内筒４と連結され、第二先端部５ｂが前記筒状体２と連結される。ここで、前記第二先端部５ｂは、前記第一先端部５ａよりも長く形成されているため、前記内筒４の突起４ａが筒状体２の刃物８に係止している場合、テグス体５が引っ張られると、まず第一先端部５ａに張力がかかる。また、該内筒４が筒状体２から分離された場合には、テグス体５にかかる張力は、第二先端部５ｂを介して前記筒状体２にかかる。
【００２４】
当該構成によって、撮像機器Ｃ１が前記釣り糸切断具１を通過する前に有線ケーブルＣ２を切断してしまうことを防止できるので、撮像機器Ｃ１を回収することが可能になる。なお、撮像機器Ｃ１で撮影した画像は、有線ケーブルＣ２を介して、釣り人Ｐの手元に設置された画像表示装置Ｃ３に伝送されるので、釣り人Ｐは、前記釣り糸切断具１内を撮像機器Ｃ１が通過したか否かを確認することができる。したがって、誤って撮像機器Ｃ１よりも上部（釣り人Ｐ側）で有線ケーブルＣ２を切断することがなくなり、より確実に撮像機器Ｃ１を回収することが可能になる。なお、撮像機器Ｃ１で撮影した画像のデータは、有線ケーブルＣ２を介して、既知のデータ伝送方法で画像表示装置Ｃ３に伝送され得る。
【００２５】
図４〜図６を用いて、撮像機器Ｃ１を備えた釣り具が根掛かりした場合における釣り糸切断具１の動作を説明する。
【００２６】
図４は、根掛かりした釣り具に、本考案にかかわる釣り糸切断具１を挿通した状態を示している。撮像機器Ｃ１を備えた釣り具は、図４に示すように、釣竿Ｆと、該釣竿Ｆを把持する箇所近傍に設けられたリールＲ１と、該リールＲ１近傍に取り付けられた画像表示装置Ｃ３と、前記リールＲ１から延びる有線ケーブルＣ２と、該有線ケーブルＣ２の先端に連結された撮像機器Ｃ１と、該釣竿Ｆおよび撮像機器Ｃ１の間において、前記有線ケーブルＣ２に連結された浮きＵと、前記撮像機器Ｃ１に連結された釣り糸Ｌとからなる。前記釣り糸Ｌは、１または２以上の釣り針Ｌ１と、錘Ｌ２を備えている。
【００２７】
前記釣り具が根掛かりすると、まず、釣り糸切断具１の中空部６および７に有線ケーブルＣ２が挿通されるように前記釣り具に釣り糸切断具１を連結させる。本実施の形態においては、筒状体２がヒンジ部２ｃを支点として開けられ、たとえば有線ケーブルＣ２を中空部６内に挿通させるように閉じられる。この際、内筒４には、前述したスリットを介して有線ケーブルＣ２が中空部７に挿通され、該内筒４に形成された突起４ａが刃物８の下部と係止するように、該内筒４が筒状体２に嵌合される。前記釣り糸切断具１は、テグス体５を介してリールＲ２と連結されている。本実施の形態では、リールを地面に設置するように描いているが、これに限定されるものではなく、釣竿Ｆに取り付けてもよく、または釣竿Ｆとは異なる釣竿に形成してもよい。釣竿にテグス体５を連結することで、容易にテグス体５を操作することができるので、より確実に内筒４を筒状体２から分離することが可能になる。
【００２８】
前記釣り糸切断具１を釣り具に連結させると、前記有線ケーブルＣ２に沿って前記釣り糸切断具１が自重により水中を降下する。ここで、自重により釣り糸切断具１が水中を降下する必要があるので、釣り糸切断具１（主には筒状体２）は、水（もしくは海水）よりも比重が充分重い材質、好ましくはステンレスなどの金属で形成されることが好ましい。また、該釣り糸切断具１の下部のみを比重が重い材質にしてもよく、釣り糸Ｌの種類などに対応して変更可能である。釣り糸Ｌには、様々な種類があり、太さや強度が異なるため、各釣り糸Ｌに対応した釣り糸切断具１を用いることで、より確実に撮像機器Ｃ１を回収することができる。
【００２９】
本実施の形態では、撮像機器Ｃ１として略直方体の撮像機器Ｃ１を示しているが、本考案は、これに限られるものではなく、撮像機器の形状に適した形状の釣り糸切断具前記釣り糸切断具を用いることができる。刃物８のリング状の径を変更し、内筒４の径も変更することで、より撮像機器Ｃ１のサイズに適合した（撮像機器Ｃ１が釣り糸切断具１の中空部６および７を挿通可能である形状を有した）釣り糸切断具１を用いることができる。
【００３０】
図５に示すように、撮像機器Ｃ１が前記釣り糸切断具１の中空部６および７を通過したことが、画像表示装置Ｃ３を介して釣り人Ｐによって確認されると、リールＲ２から延びているテグス体５を引っ張る。ここで、第二先端部５ｂは、緊張状態にはないので、テグス体５を引っ張る力は、第一先端部５ａにのみ伝達され、筒状体２の自重による降下に反するように内筒４が上方に引っ張られる。すると、突起４ａによってリング状の刃物８に係止されていた内筒４が、たとえば突起４ａが刃物８によって削りとられることによって係止状態を解除され（つまり、筒状体２から分離される）、該刃物８が釣り糸Ｌに当接する。このとき、根掛かりしている釣り針Ｌ１に連結される釣り糸Ｌは緊張状態にあり、筒状体２が自重により水中を降下する力が刃物８によって集中的に釣り糸Ｌにかかり、緊張状態にある釣り糸Ｌが切断される。なお、確実に釣り糸Ｌを切断するためには、内筒４が筒状体２から分離された後に、テグス体５を引っ張ることが好ましい。テグス体５を引っ張ると、第二先端部５ｂに張力が掛かり、筒状体２が上方に引っ張られる。その後、筒状体２は、再び自重によって釣り糸Ｌを押圧する。このように、刃物８が繰り返し釣り糸Ｌに押圧されるので、より確実に釣り糸Ｌを切断することが可能になる。
【００３１】
釣り糸Ｌが切断された状態を図６に示す。釣り糸切断具１によって釣り糸が切断されると、根掛かりした釣り針Ｌ１、および該釣り針Ｌ１に連結された部分の釣り糸Ｌのみが残され、他の釣り針Ｌ１や錘Ｌ２、撮像機器Ｃ１や釣り糸切断具１は、リールＲ１およびＲ２によって回収される。なお、画像表示装置Ｃ３で、他の釣り針Ｌ２に餌がついたままであることが確認された場合には、釣り糸切断具１のみをリールＲ２で回収して、釣りを継続することも可能である。
【００３２】
以上、本考案の実施の形態を図面により説明したが、具体的な構成は実施の形態に限定されることはない。前述したように、図７および図８に示すような他の態様の釣り糸切断具を構成することもできる。また、図９〜図１１に示すような態様の釣り糸切断具を用いることも可能である。
【００３３】
図７に示す筒状体１０は台形状であるため、把持しやすく、濡れた手で釣り糸切断具を取り付ける際に落として紛失することを防止できる。
【００３４】
図８に示す筒状体１１は、簡素な形状にした筒状体であって、作成の手間を最小限に抑えることができる。また、角部１２を最小限の加工で形成することによって、筒状体１１の自重を確保することができる。なお、刃物１２も筒状体１１と一体成形ではなく、取り外し可能としたことで、刃こぼれした場合でも刃物１２を変えるだけで再度釣り糸切断具として使用することができるので、低価格であり、かつリサイクル性に富んだ釣り糸切断具を提供することができる。
【００３５】
図９は、本考案の第２の態様にかかわる釣り糸切断具２０における筒状体２１の斜視図を示す。該筒状体２１の一側面上端には、リング状の刃物２２を挿入するための挿入孔２３が、前記筒状体２１の上面２４と略並行に形成されている。ここで、挿入孔２３の直径は、前記リング状の刃物２２の直径と同等もしくは該直径よりも小さく形成されてなる。なお、前記挿入孔２３には、取り外し可能な刃物止め具２５が設けられている。なお、該刃物止め具２５は、テープ状の接着部で前記挿入孔２３に取り付けられてもよく、ボルトやナットなどの連結具（図示せず）を用いるなど、既知の方法を使用して取り付けられる。
【００３６】
図１０に示すように、釣り糸切断具２０は、刃物２２をカバーするために、前記内筒４の代わりに刃物２２用のキャップ２６を設けた釣り糸切断具２０である。該キャップ２６は、略ドーナツ状に形成されており、刃物２２と当接する内縁部２６ａと、前記上面２４上に複数個設けられたキャップ止め部２７と係止し得る外縁部２６ｂとからなる。キャップ止め部２７は、前記キャップ２６の外縁部２６ｂと係止しやすい形状であることが好ましく、本第２の態様においては、前記上面２４の外周面側にテーパー状の凹部２７ａを形成している。前記キャップ２６は、ゴム製もしくはプラスチック製であり、好ましくは柔軟性の高いゴムやプラスチックなどで形成されていることが好ましい。本第２の態様にかかわる釣り糸切断具２０を用いることで、前記キャップ２６の外縁部２６ｂと、前記キャップ止め部２７の凹部２７ａが互いに当接し、撮像機器Ｃ１に釣り糸切断具２０が到達するまでに、刃物２２用のキャップ２６が前記筒状体２１から離脱することが防止できる。
【００３７】
図１１に示す釣り糸切断具３０においては、刃物３１を、筒状体３２の上面３３に複数設けられたクリップ３４によって係止している。該クリップ３４によって、前記刃物３１の上部が押圧されるので、前記釣り糸切断具３０が水中を落下する際に刃物３１およびキャップ２６が筒状体３２から分離することはない。なお、テグス体５を引っ張ることにより、前記キャップ２６が上部に引っ張られるが、その際にクリップ３４によって押圧されている刃物３１も上方に引っ張られるので、前記キャップ２６が容易に筒状体３２から分離することが可能である。
【符号の説明】
【００３８】
Ｃ１  撮像機器
Ｃ２  有線ケーブル
Ｃ３  画像表示装置
Ｆ  釣竿
Ｌ  釣り糸
Ｌ１  釣り針
Ｌ２  錘
Ｐ  釣り人
Ｒ１、Ｒ２  リール
Ｕ  浮き
１  釣り糸切断具
２、１０、１１  筒状体
２ａ、２ｂ  半筒状体
２ｃ  ヒンジ部
３ａ  上部開口
３ｂ  下部開口
４  内筒
４ａ  突起
５  テグス体
５ａ  第一先端部
５ｂ  第二先端部
６、７  中空部
８、１３  刃物
１２  角部
【図１】
0003149439.tif 000003
【図２】
0003149439.tif 000004
【図３】
0003149439.tif 000005
【図４】
0003149439.tif 000006
【図５】
0003149439.tif 000007
【図６】
0003149439.tif 000008
【図７】
0003149439.tif 000009
【図８】
0003149439.tif 000010
【図９】
0003149439.tif 000011
【図１０】
0003149439.tif 000012
【図１１】
0003149439.tif 000013